(57)【要約】【課題】不正行為を抑止しつつ、不正行為が介在した場合であっても、その事実を確認しやすい隠蔽ラベルを提供する。【解決手段】隠蔽ラベル１０は、はがきタイプのものであって、折りミシン目ｍｃをはさんで配置された第１及び第２の領域１１−１，１１−２を有する支持基材１１と、第１の領域１１−１上の中央付近に設けられ、個人情報を記入するための記入欄１２と、第２の領域１１−２上に配置され、全面が透明な透明紙１４，粘着剤１５及び剥離紙１６が順に積層された透明タック紙１３と、透明紙１４の４隅に、かつ、透明紙１４を貫通するようにくの字状に設けられ、その透明紙１４の不正な剥離を防止する切れ込み１７と、第２の領域１１−２と透明紙１４とを剥離可能に擬似接着する擬似接着層１８などとを備える。【選択図】図１
2006337620.tif 000002
【特許請求の範囲】
【請求項１】
折り線をはさんで配置された第１及び第２の領域を有する支持基材と、
前記第１の領域上に設けられた秘匿情報欄と、
前記第２の領域上に配置され、少なくとも前記秘匿情報欄に対向する部分が透明な透明性基材，粘着剤層及び剥離シートが順に積層された積層ラベル部と、
前記透明性基材に設けられ、その透明性基材の不正な剥離を防止する不正剥離防止部と、
前記第２の領域と前記透明性基材とを擬似接着する擬似接着層と、
を備える隠蔽ラベル。
【請求項２】
請求項１に記載の隠蔽ラベルにおいて、
前記不正剥離防止部は、前記透明性基材を貫通するように設けられた切れ込みであること、
を特徴とする隠蔽ラベル。
【請求項３】
請求項２に記載の隠蔽ラベルにおいて、
前記切れ込みは、前記透明性基材の周縁部付近に設けられていること、
を特徴とする隠蔽ラベル。
【請求項４】
請求項２に記載の隠蔽ラベルにおいて、
前記切れ込みは、前記透明性基材の略全面に設けられていること、
を特徴とする隠蔽ラベル。
【発明の詳細な説明】
【技術分野】
【０００１】
本発明は、秘匿情報欄を保護するための隠蔽ラベルに関するものである。
【背景技術】
【０００２】
特許文献１は、記入欄を積層ラベル部で隠蔽することができ、開封時には、透明性基材で覆われた記入欄を確認できる隠蔽ラベルを開示している。
この隠蔽ラベルの透明性基材は、記入欄に対して強固に接着するよう配慮された粘着剤を使用して貼り合せられているものの、環境や状況によっては剥離できてしまう場合がある。
一旦、透明性基材を粘着剤部分から無理やり剥離して記入欄に直接記入し、その後で何らかの手段で再接着されてしまうと、本人が記入したものなのか、途中で第三者が悪意を持って記入したものなのか、といった判断ができなくなってしまう恐れがあった。
【特許文献１】特開２００４−１０２１８８号公報
【発明の開示】
【発明が解決しようとする課題】
【０００３】
本発明の課題は、不正行為を抑止しつつ、不正行為が介在した場合であっても、その事実を確認しやすい隠蔽ラベルを提供することである。
【課題を解決するための手段】
【０００４】
前記課題を解決するために、請求項１の発明は、折り線をはさんで配置された第１及び第２の領域を有する支持基材と、前記第１の領域上に設けられた秘匿情報欄と、前記第２の領域上に配置され、少なくとも前記秘匿情報欄に対向する部分が透明な透明性基材，粘着剤層及び剥離シートが順に積層された積層ラベル部と、前記透明性基材に設けられ、その透明性基材の不正な剥離を防止する不正剥離防止部と、前記第２の領域と前記透明性基材とを擬似接着する擬似接着層と、を備える隠蔽ラベルである。
請求項２の発明は、請求項１に記載の隠蔽ラベルにおいて、前記不正剥離防止部は、前記透明性基材を貫通するように設けられた切れ込みであること、を特徴とする隠蔽ラベルである。
請求項３の発明は、請求項２に記載の隠蔽ラベルにおいて、前記切れ込みは、前記透明性基材の周縁部付近に設けられていること、を特徴とする隠蔽ラベルである。
請求項４の発明は、請求項２に記載の隠蔽ラベルにおいて、前記切れ込みは、前記透明性基材の略全面に設けられていること、を特徴とする隠蔽ラベルである。
【発明の効果】
【０００５】
本発明によれば、透明性基材に不正剥離防止部を設けることによって、透明性基材を剥がして内部の秘匿情報欄に追記するような不正行為を抑止することができる。
また、不正剥離防止部を切れ込みにすることによって、透明性基材を無理やり剥がそうとすると、透明性基材が裂けるようになっており、不正行為が介在した場合であっても、その事実を確認しやすい。
さらに、透明性基材の周縁部付近に切れ込みを設けることによって、どの方向からの剥離行為にも対応できる。
【発明を実施するための最良の形態】
【０００６】
本発明は、不正行為を抑止しつつ、不正行為が介在した場合であっても、その事実を確認しやすい隠蔽ラベルを提供するという目的を、透明紙の４隅にくの字状の切れ込みを設けることにより実現する。
【実施例】
【０００７】
以下、図面等を参照して、本発明の実施例について、さらに詳しく説明する。
図１は、本発明による隠蔽ラベルの実施例を示す図であって、図１（Ａ）は、平面図、図１（Ｂ）は、Ｂ−Ｂ断面図、図１（Ｃ）は、透明紙の平面図である。
本実施例の隠蔽ラベル１０は、はがきタイプのものであって、支持基材１１と、透明タック紙（積層ラベル部）１３と、切れ込み（不正剥離防止部）１７と、擬似接着層１８などとを備える。
【０００８】
支持基材１１は、折りミシン目（折り線）ｍｃをはさんで配置された第１及び第２の領域１１−１，１１−２を有するものである。
第１の領域１１−１上の中央付近には、個人情報を記入するための記入欄（秘匿情報欄）１２が設けられ、支持基材１１の裏面には、送信先の宛名欄などが設けられている。
【０００９】
透明タック紙１３は、第２の領域１１−２上に配置され、全面が透明な透明紙（透明性基材）１４，粘着剤（粘着剤層）１５及び剥離紙（剥離シート）１６が順に積層されたものである。
【００１０】
切れ込み１７は、透明紙１４の４隅に、かつ、透明紙１４を貫通するようにくの字状に設けられ、その透明紙１４の不正な剥離を防止するカット線である。なお、実際には、切れ込み１７は、支持基材１１に透明タック紙１３を貼り合せる前に、ハーフカット加工で切り込む。
擬似接着層１８は、第２の領域１１−２と透明紙１４とを剥離可能に擬似接着するものである。
【００１１】
次に、本実施例による隠蔽ラベル１０の使用方法について説明する。
図２は、隠蔽ラベル１０の使用方法を説明する図である。
まず、図２（Ａ）に示すように、記入欄１２に必要事項を記入する。
ついで、図２（Ｂ）に示すように、剥離紙１６を剥がし、粘着剤１５を表出させる。
さらに、図２（Ｃ）に示すように、表出させた粘着剤１５が内側となるように隠蔽ラベル１０を２つ折りし、粘着剤１５を記入欄１２に粘着させて記入欄１２を隠蔽する。
そして、この状態で、ポストに投函する。
受取側では、図２（Ｄ）に示すように、擬似接着層１８部分で開封し、透明紙１４で覆われた記入欄１２を確認する。
【００１２】
このように、本実施例によれば、開封後に、透明紙１４を周縁部から無理やり剥がそうとすると、切れ込み１７部分で透明紙１４が裂け、悪意を持って開封しようとした意図が確認できる。
また、悪意ある第三者としてもその意図を感じ、透明紙１４を剥がして記入欄１２に記入することを躊躇するようになる。
さらに、透明紙１４の４隅に切れ込み１７を設けることによって、剥離が開始されやすい要所をおさえることができる。
【００１３】
（変形例）
以上説明した実施例に限定されることなく、種々の変形や変更が可能であって、それらも本発明の均等の範囲内である。
切れ込み１７は、くの字状のカット線の例で説明したが、任意形状のものであってもよい。
この理由として、本願の隠蔽ラベル１０は、支持基材１１に透明タック紙１３を剥離可能な状態で貼り合せたものであるため、透明紙１４は、（１）透明タック紙１３の状態では、剥離紙１６に支持されており、（２）隠蔽後の状態では、支持基材１１に支持されているからである。
つまり、透明紙１４は、常に何かしらの基材に支持された状態で存在するので、上述した実施例のように、切れ込みをくの字状のカット線に限定する必要はなく、例えば、半円形状のものや、矩形で周縁部を型抜きしたもの、周縁部すべてに波型のカット線を設けたものなどであってもよく、このようにしても、作業性に問題は生じない。
また、セキュリティ性をより向上させるために、透明紙１４の周縁部に限らず、略全面に切れ込みを設けるようにしてもよい。
【図面の簡単な説明】
【００１４】
【図１】本発明による隠蔽ラベルの実施例を示す図である。
【図２】隠蔽ラベル１０の使用方法を説明する図である。
【符号の説明】
【００１５】
１０  隠蔽ラベル
１１  支持基材
１１−１  第１の領域
１１−２  第２の領域
１２  記入欄（秘匿情報欄）
１３  透明タック紙（積層ラベル部）
１４  透明紙（透明性基材）
１５  粘着剤（粘着剤層）
１６  剥離紙（剥離シート）
１７  切れ込み（不正剥離防止部）
１８  擬似接着層
【図１】
2006337620.tif 000003
【図２】
2006337620.tif 000004